(57)【要約】【課題】小型化を実現することができる触覚伝達装置、およびこれを備えた表示装置を提供する。【解決手段】触覚伝達装置Ｘは、入力位置を検出するための入力領域ＥＩ、および入力領域ＥＩの外側に位置する外側領域ＥＯを有するタッチパネル１と、タッチパネル１の外側領域ＥＯに設けられており、電源供給端子２１,２２を有しており、かつタッチパネル１を振動させる圧電素子２と、タッチパネル１の外側領域ＥＯに設けられた圧電素子側導通端子３と、タッチパネル１の外側領域ＥＯに設けられており、かつ電源供給端子２１,２２と圧電素子側導通端子３とを電気的に接続する接続配線４と、を備え、圧電素子２は、平面視矩形状であり、接続配線４は、圧電素子２の短辺Ｓｂと平面視において交差し、かつ圧電素子２の短辺Ｓｂの一部と対応するタッチパネル１と圧電素子２との間に介在され電源供給端子２１,２２と接続される。【選択図】図３
2011113419.tif 000002
【特許請求の範囲】
【請求項１】
入力位置を検出するための入力領域、および前記入力領域の外側に位置する外側領域を有する入力部と、
前記入力部の外側領域に設けられており、電源供給端子を有しており、かつ前記入力部を振動させる振動体と、
前記入力部の外側領域に設けられた外部導通端子と、
前記入力部の外側領域に設けられており、かつ前記電源供給端子と前記外部導通端子とを電気的に接続する接続配線と、を備え、
前記振動体は、平面視矩形状であり、
前記接続配線は、前記振動体の短辺と平面視において交差し、かつ前記振動体の短辺の一部と対応する前記入力部と前記振動体との間に介在され前記電源供給端子と接続される、触覚伝達装置。
【請求項２】
平面視において、前記接続配線は、前記振動体の短辺同士を貫くようにして前記入力部の外側領域に設けられている、請求項１に記載の触覚伝達装置。
【請求項３】
前記電源供給端子は、正の電圧が印加される第１電源供給端子と、負の電圧が印加される第２電源供給端子とを有し、
前記接続配線は、前記第１電源供給端子と前記外部導通端子とを電気的に接続する第１接続配線と、前記第２電源供給端子と前記外部導通端子とを電気的に接続する第２接続配線とを有する、請求項１または２に記載の触覚伝達装置。
【請求項４】
前記第１接続配線は、前記振動体の一方の短辺を介して前記第１電源供給端子と接続されており、
前記第２接続配線は、前記振動体の他方の短辺を介して前記第２電源供給端子と接続される、請求項３に記載の触覚伝達装置。
【請求項５】
前記入力部は、抵抗膜方式のタッチパネル、または静電容量方式のタッチパネルである、請求項１〜４のいずれか一項に記載の触覚伝達装置。
【請求項６】
前記振動体は、前記電源供給端子を介して印加される電圧に基づいて振動する圧電素子である、請求項１〜５のいずれか一項に記載の触覚伝達装置。
【請求項７】
請求項１〜６のいずれか一項に記載の触覚伝達装置と、
前記入力装置と対向配置される表示パネルと、を備えた表示装置。
【請求項８】
前記表示パネルは、液晶表示パネルである、請求項７に記載の表示装置。
【発明の詳細な説明】
【技術分野】
【０００１】
本発明は、例えば、使用者が入力部を押圧した場合に、押圧した使用者に対して押圧感を伝達することができる触覚伝達装置、およびこれを備えた表示装置に関する。
【背景技術】
【０００２】
近年、使用者がタッチパネルのような入力部を押圧した場合に、押圧した使用者に対して、押しボタンスイッチを操作した場合と同様のリアルな押圧感（あるいはクリック感）を伝達する触覚伝達装置が知られている（例えば、特許文献１参照）。
【０００３】
特許文献１に記載の触覚伝達装置は、抵抗膜方式のタッチパネルと、タッチパネルの背面に設けられた複数の圧電素子と、圧電素子に対して電圧を印加するための接続配線とを備えている。ここで、圧電素子は、電源供給端子を有しており、この電源供給端子に接続配線が接続されることにより、圧電素子に電圧を印加している。なお、接続配線は、タッチパネルの入力領域の外側に位置する外側領域に設けられている。圧電素子に電圧を印加することにより、圧電素子が振動し、圧電素子の振動に従ってタッチパネルが振動し、これによって使用者に対して押圧感を伝達している。
【先行技術文献】
【特許文献】
【０００４】
【特許文献１】特開２００４−１１８７５４号公報
【発明の概要】
【発明が解決しようとする課題】
【０００５】
しかしながら、特許文献１に記載の触覚伝達装置では、接続配線が、圧電素子の長辺を介して電源供給端子と接続されていたので、タッチパネルの外側領域が大きくなるという問題があった。このため、特許文献１に記載の触覚伝達装置では、小型化（狭額縁化）を実現することができなかった。
【０００６】
本発明は、上記の問題点に鑑みてなされたものであり、その目的は、小型化を実現することができる触覚伝達装置、およびこれを備えた表示装置に関する。
【課題を解決するための手段】
【０００７】
上記目的を達成するために本発明における触覚伝達装置は、入力位置を検出するための入力領域、および前記入力領域の外側に位置する外側領域を有する入力部と、前記入力部の外側領域に設けられており、電源供給端子を有しており、かつ前記入力部を振動させる振動体と、前記入力部の外側領域に設けられた外部導通端子と、前記入力部の外側領域に設けられており、かつ前記電源供給端子と前記外部導通端子とを電気的に接続する接続配線と、を備え、前記振動体は、平面視矩形状であり、前記接続配線は、前記振動体の短辺と平面視において交差し、かつ前記振動体の短辺の一部と対応する前記入力部と前記振動体との間に介在され前記電源供給端子と接続される。
【０００８】
上記目的を達成するために本発明における表示装置は、本発明に係る触覚伝達装置と、前記入力装置と対向配置される表示パネルと、を備える。
【発明の効果】
【０００９】
本発明の触覚伝達装置、およびこれを備えた表示装置は、小型化を実現することができるという効果を奏する。
【図面の簡単な説明】
【００１０】
【図１】図１は、本発明の一実施形態に係る触覚伝達装置の概略構成を示す分解斜視図である。
【図２】図２は、図１の矢印Ａ方向からＢ方向に平面透視した場合の、タッチパネルの第２基体を示す図である。
【図３】図３は、図２のＫ１の部分を拡大して示した図である。
【図４】図４は、従来の触覚伝達装置において図３と同じ個所を示した図である。
【図５】図５は、触覚伝達装置の動作例を示すフローチャートである。
【図６】図６は、触覚伝達装置を備えた表示装置の一例を示す断面図である。
【図７】図７は、変更例１に係る触覚伝達装置を平面透視した図である。
【図８】図８は、図７のＫ２の部分を拡大して示した図である。
【発明を実施するための形態】
【００１１】
以下、本発明の実施形態について、図面を参照しながら説明する。
【００１２】
[触覚伝達装置の構成]
図１に示すように、本実施形態に係る触覚伝達装置Ｘは、タッチパネル１、圧電素子２、圧電素子側導通端子３、および接続配線４を備えている。
【００１３】
タッチパネル（入力部）１は、例えば、表示画面上に配置され、使用者が指やペン等で押圧することにより情報を入力することができる部材である。本実施形態では、タッチパネル１として、抵抗膜方式のタッチパネルを例に説明するが、これに限らず、静電容量方式のタッチパネル、表面弾性波方式のタッチパネル、赤外線方式のタッチパネル、あるいは電磁誘導方式のタッチパネルであってもよい。すなわち、タッチパネルの方式については特に限定されない。
【００１４】
タッチパネル１は、使用者が指やペン等で押圧することにより情報を入力するための入力領域ＥＩと、入力領域ＥＩの外側に位置する外側領域ＥＯとを有している。また、タッチパネル１は、第１基体１０、および第２基体１１を備えている。
【００１５】
第１基体１０は、第１透明絶縁基体１０ａおよび第１透明電極１０ｂを備えている。また、第１基体１０は、透光性および可撓性を有している。なお、本実施形態において透光性とは、可視光に対する透過性を有することを意味する。また、本実施形態においては、第１基体１０の平面視形状は略矩形状とされているが、これには限られない。
【００１６】
第１透明絶縁基体１０ａは、第１透明電極１０ｂを支持する役割を担う部材である。また、第１透明絶縁基体１０ａは、その主面に対して交差する方向（例えば、矢印ＡＢ方向）に光を適切に透過することが可能な構成とされるとともに、電気的な絶縁性を充分に有する構成とされている。第１透明絶縁基体１０ａの構成材料としては、ガラスおよびプラスチック等の透光性を有するものが挙げられるが、中でも耐熱性・高品質の観点においてガラスが好ましい。
【００１７】
第１透明電極１０ｂは、後述する第２基体１１の第２透明電極１１ｂとの接触点における電位の検出に寄与するものであり、一方（本実施形態では下方）側から入射した光を他方（本実施形態では上方）側に透過するように構成されている。第１透明電極１０ｂの構成材料としては、透光性を有する導電部材が挙げられる。透光性を有する導電部材としては、例えば、ＩＴＯ（Indium Tin Oxide）、ＡＴＯ（Antimony Tin Oxide）、酸化錫、あるいは酸化亜鉛等が挙げられる。本実施形態において第１透明電極１０ｂは、第１透明絶縁基体１０ａの下面における入力領域ＥＩに形成されている。
【００１８】
第２基体１１は、第２透明絶縁基体１１ａおよび第２透明電極１１ｂを備えており、透光性を有している。なお、本実施形態においては、第２基体１１の平面視形状は略矩形状とされているが、これには限られない。
【００１９】
第２透明絶縁基体１１ａは、第２透明電極１１ｂを支持する役割を担う部材である。また、第２透明絶縁基体１１ａは、その主面に対して交差する方向（例えば、矢印ＡＢ方向）に光を適切に透過することが可能な構成とされるとともに、電気的な絶縁性を充分に有する構成とされている。第２透明絶縁基体１１ａの構成材料としては、ガラスおよびプラスチック等の透光性を有するものが挙げられるが、中でも耐熱性・高品質の観点においてガラスが好ましい。
【００２０】
第２透明絶縁基体１１ａの上面における外側領域ＥＯには、図示しないＦＰＣ（Flexible Printed Circuit）と電気的に接続されるＴＰ側導通端子１２が設けられている。ここで、ＦＰＣには、ＴＰ側導通端子１２に電圧を印加するとともに、タッチパネル１を駆動させるためのタッチパネルドライバ（図示せず）が接続される。
【００２１】
第２透明電極１１ｂは、第１基体１０の第１透明電極１０ｂとの接触点における電位の検出に寄与するものであり、一方（本実施形態では下方）側から入射した光を他方（本実施形態では上方）側に透過するように構成されている。第２透明電極１１ｂの構成材料としては、第１透明電極１０ｂと同様のものが挙げられる。なお、本実施形態において第２透明電極１１ｂは、第２透明絶縁基体１１ａの上面における入力領域ＥＩに形成されている。これにより、第１透明電極１０ｂと第２透明電極１１ｂとは互いに対向することになる。
【００２２】
また、第２基体１１上には、ドットスペーサＤ、第１配線導体１３、および第２配線導体１４が設けられている。
【００２３】
ドットスペーサＤは、第１透明電極１０ｂと第２透明電極１１ｂとを所定位置で接触させる（情報を入力する）場合に、該所定位置以外の領域において第１透明電極１０ｂと第２透明電極１１ｂとの不要な接触が発生するのを低減する役割を担う部材である。また、ドットスペーサＤは、複数のドット状のスペーサにより構成されている。ドットスペーサＤの構成材料としては、例えば、熱硬化性樹脂および紫外線硬化性樹脂が挙げられ、耐環境性の観点からは熱硬化性樹脂が好ましく、製造効率の観点からは紫外線硬化性樹脂が好ましい。
【００２４】
第１配線導体１３は、第２透明絶縁基体１１ａの上面における外側領域ＥＯに設けられており、第１基体１０の第１透明電極１０ｂに対して電圧を印加する役割を担う部材である。このため、第１配線導体１３は、導電性接着材１５を介して、第１基体１０の第１透明電極１０ｂと電気的に接続されるとともに、ＴＰ（タッチパネル）側導通端子１２と電気的に接続される。なお、導電性接着材１５は、平面視において、第２透明電極１１ｂを取り囲むようにして第２基体１１上に設けられている。また、第２配線導体１４は、第２透明絶縁基体１１ａの上面における外側領域ＥＯに設けられており、第２基体１１の第２透明電極１１ｂに対して電圧を印加する役割を担う部材である。このため、第２配線導体１４は、第２基体１１の第２透明電極１１ｂと電気的に接続されるとともに、ＴＰ側導通端子１２と電気的に接続される。
【００２５】
本実施形態においてこれら配線導体１３，１４は、例えば、硬質で高い形状安定性を得るべく、金属薄膜で構成されている。この金属薄膜としては、例えば、アルミニウム膜、アルミニウム合金膜、クロム膜とアルミニウム膜との積層膜、あるいはクロム膜とアルミニウム合金膜との積層膜が挙げられる。
【００２６】
圧電素子（振動体）２は、第２透明絶縁基体１１ａの下面における外側領域ＥＯに設けられており、図２および図３に示すように、平面視矩形状をなしている。すなわち、圧電素子２は、図３に示すように、平面視において、長辺Ｓａと短辺Ｓｂとを有している。なお、図３では、説明の便宜上、圧電素子２ａを実線で示している。また、圧電素子２は、使用者がタッチパネル１を押圧した場合に、タッチパネル１への押圧荷重を検出するとともに、タッチパネル１を振動させる役割を担う部材である。本実施形態において触覚伝達装置Ｘは、４つの圧電素子２ａ〜２ｄを備えているが、圧電素子の数については特に限定されない。なお、以下では、圧電素子を説明する際、特に区別する必要がある場合にのみ、例えば、圧電素子２ａのように、それぞれを区別するための英小文字を付して説明し、特に区別する必要がない場合、あるいは、総称する場合には、例えば、圧電素子２のように、英小文字を付さずに説明する。
【００２７】
圧電素子２は、正の電圧が印加される第１電源供給端子２１と、負の電圧が印加される第２電源供給端子２２とを有している。また、圧電素子２は、第１電源供給端子２１と電気的に接続される第１電極２１１と、第２電源供給端子２２と電気的に接続される第２電極２１２とを有している。すなわち、圧電素子２は、当該圧電素子２に加えられた力を電圧に変換するとともに、電源供給端子２１，２２および電極２１１,２１２を介して印加される電圧を力（振動）に変換する、いわゆる圧電効果を利用したピエゾ素子である。本実施形態に係る圧電素子２は、複数枚の圧電体を貼り合わせることによって構成されるバイモルフ型の圧電素子であるが、これに限らず、モノモルフ型の圧電素子であってもよい。なお、バイモルフ型の圧電素子２は、複数枚の圧電体のそれぞれに差動的な電圧を加えることにより、複数枚の圧電体の伸縮方向が反対になるため反りが生じ、これによって圧電素子２が振動することを利用したものである。
【００２８】
なお、上記では、圧電素子２は、タッチパネル１への押圧荷重を検出するとともに、タッチパネル１を振動させる役割を担う部材である例について説明したが、これに限定されない。すなわち、圧電素子２の代わりに、歪みセンサによってタッチパネル１の押圧荷重を検出してもよい。また、圧電素子２の代わりに、電磁式振動体、モータ等によってタッチパネル１を振動させてもよい。
【００２９】
圧電素子側導通端子（外部導通端子）３は、第２透明絶縁基体１１ａの下面における外側領域ＥＯに設けられている。本実施形態においては、圧電素子側導通端子３には、ＴＰ側導通端子１２に接続されるＦＰＣと同じＦＰＣが接続される。すなわち、このＦＰＣには切り込みが形成されており、一方がＴＰ側導通端子１２に接続され、他方が圧電素子側導通端子３に接続される。また、このＦＰＣには、圧電素子２を駆動させるための触覚伝達ドライバ（図示せず）が接続される。なお、タッチパネルドライバと触覚伝達ドライバとは、ハードウェア的に別のドライバで構成してもよいし、同じドライバで構成してもよい。
【００３０】
接続配線４は、第２透明絶縁基体１１ａの下面における外側領域ＥＯに設けられており、かつ電源供給端子２１,２２と圧電素子側導通端子３とを電気的に接続する役割を担う部材である。本実施形態においては、接続配線４は、第１電源供給端子２１と圧電素子側導通端子３とを電気的に接続する第１接続配線４１と、第２電源供給端子２２と圧電素子側導通端子３とを電気的に接続する第２接続配線４２とを有している。
【００３１】
図３に示すように、第１接続配線４１は、圧電素子２の短辺Ｓｂと平面視において交差し、かつ圧電素子２の短辺Ｓｂの一部と対応するタッチパネル１と圧電素子２との間に介在され第１電源供給端子２１と接続される。また、第２接続配線４２は、圧電素子２の短辺Ｓｂと平面視において交差し、かつ圧電素子２の短辺Ｓｂの一部と対応するタッチパネル１と圧電素子２との間に介在され第２電源供給端子２２と接続される。具体的には、第１接続配線４１および第２接続配線４２は、圧電素子２の短辺Ｓｂを貫くようにしてタッチパネル１の外側領域ＥＯに設けられている。このため、図４に示すように、第１接続配線４１が圧電素子２の長辺Ｓａを介して第１電源供給端子２１と接続され、第２接続配線４２が圧電素子２の長辺Ｓａを介して第２電源供給端子２２と接続されている上記従来の触覚伝達装置と比較して、外側領域ＥＯを小さくすることができる。具体的には、触覚伝達装置Ｘにおけるタッチパネル１の外側領域ＥＯの幅Ｌｅ（図３参照）は、上記従来の触覚伝達装置におけるタッチパネルの外側領域ＥＯの幅Ｌｃ（図４参照）よりも小さくなる。そのため、触覚伝達装置Ｘは、上記従来の触覚伝達装置と比較して、小型化を実現することができる。
【００３２】
なお、本実施形態のように、第１接続配線４１および第２接続配線４２が、圧電素子２の短辺Ｓｂを貫くようにしてタッチパネル１の外側領域ＥＯに設けられていれば、圧電素子２と第２透明絶縁基体１１ａの下面との間のギャップ（間隔）を均一にすることができるため、好ましい。すなわち、本実施形態では、第１接続配線４１および第２接続配線４２によって圧電素子２の全体を均一に保持しているからである。つまり、図４で示されている上記従来の触覚伝達装置では、圧電素子２と第２透明絶縁基体１１ａの下面との間のギャップを均一にすることは難しい。このように、本実施形態に係る触覚伝達装置Ｘでは、圧電素子２と第２透明絶縁基体１１ａの下面との間のギャップを均一にすることができるので、圧電素子２の振動を、効率よくタッチパネル１へ伝達することが可能となる。すなわち、圧電素子２と第２透明絶縁基体１１ａの下面との間のギャップが均一でなければ、ギャップの広い部分と狭い部分とで圧電素子２からタッチパネル１へ加わる力（振動）の差が生じることになり、圧電素子２の振動を、効率よくタッチパネル１へ伝達することが難しくなるからである。
【００３３】
ここで、実際には、圧電素子２と第２透明絶縁基体１１ａの下面とは、エポキシ樹脂等の樹脂によって接合される。
【００３４】
[触覚伝達装置の動作]
次に、上記の構成に係る触覚伝達装置Ｘの動作について、図５を参照しながら説明する。
【００３５】
図５に示すように、圧電素子２は、例えば、使用者がタッチパネル１を押圧した場合に、タッチパネル１への押圧荷重を検出する（Ｏｐ１）。そして、触覚伝達ドライバは、使用者によるタッチパネル１への押圧操作が、表示画面に表示された入力オブジェクトに対する押圧操作である場合に、Ｏｐ１にて検出された押圧荷重が閾値以上であるか否かを判定する（Ｏｐ２）。
【００３６】
触覚伝達ドライバは、Ｏｐ１にて検出された押圧荷重が閾値以上であると判定すれば（Ｏｐ２にてＹＥＳ）、圧電素子２を振動させる（Ｏｐ３）。そして、Ｏｐ３にて振動された圧電素子２によりタッチパネル１が振動する。タッチパネル１が振動することにより、タッチパネル１を押圧した使用者に対して押圧感が伝達される。一方、触覚伝達ドライバは、Ｏｐ１にて検出された押圧荷重が閾値未満であると判定すれば（Ｏｐ２にてＮＯ）、図５の処理を終了する。
【００３７】
[表示装置の構成]
図６に示すように、本実施形態に係る表示装置Ｙは、触覚伝達装置Ｘと、触覚伝達装置Ｘと対向配置される液晶表示装置Ｚとを備えている。
【００３８】
液晶表示装置Ｚは、液晶表示パネル５０、バックライト５１、および筐体５２を備えている。
【００３９】
バックライト５１は、光源５１ａおよび導光板５１ｂを含んでいる。光源５１ａは、導光板５１ｂに向けて光を出射する役割を担う部材であり、例えば、ＬＥＤ（Light Emitting Diode）から構成される。なお、ＬＥＤの代わりに、冷陰極蛍光ランプ（ＣＣＦＬ）、ハロゲンランプ、キセノンランプ、ＥＬ（Electro-Luminescence）であってもよい。導光板５１ｂは、液晶表示パネル５０の下面全体にわたって、光源５１ａからの光を略均一に導くための役割を担う部材である。
【００４０】
筐体５２は、液晶表示パネル５０およびバックライト５１を収容する役割を担うものであり、上側筐体５２ａおよび下側筐体５２ｂを含んで構成される。筐体５２の構成材料としては、例えば、ポリカーボネート等の樹脂、あるいはステンレス（ＳＵＳ）やアルミニウム等の金属が挙げられる。
【００４１】
ここで、液晶表示装置Ｚは、例えば、ホウ素、ウレタン材、あるいはアクリル樹脂系の両面粘着テープからなる緩衝材Ｔで触覚伝達装置Ｘを支持している。緩衝材Ｔの数は任意であるが、本実施形態においては、液晶表示装置Ｚは、６つの緩衝材Ｔで触覚伝達装置Ｘを支持している。これにより、本実施形態に係る表示装置Ｙは、タッチパネル１を振動させることが可能となり、使用者に対して押圧感を伝達することが可能となる。
【００４２】
本実施形態に係る表示装置Ｙは、例えば、携帯電話やＰＤＡ（Personal Digital Assistant）等の携帯用の端末装置、工場等の産業用途で使用されるプログラマブル表示器、電子手帳、パーソナルコンピュータ、複写機、あるいはゲーム用の端末装置等の種々の電子機器に備えられる。
【００４３】
以上のように、本実施形態に係る表示装置Ｙによれば、本実施形態に係る触覚伝達装置Ｘを備えているので、小型化を実現することができる。
【００４４】
なお、上述した実施形態は、本発明の実施形態の一具体例を示すものであり、種々の変更が可能である。以下、いくつかの主な変更例を示す。
【００４５】
[変更例１]
上述の実施形態では、第１接続配線４１および第２接続配線４２は、圧電素子２ｂの短辺Ｓｂを貫くようにしてタッチパネル１の外側領域ＥＯに設けられている例について説明したが、これに限定されない。例えば、図７および図８に示すように、第１接続配線４１は、圧電素子２ｂの一方の短辺Ｓｂ´を介して第１電源供給端子２１と接続されており、第２接続配線４２は、圧電素子２ｂの他方の短辺Ｓｂ´を介して第２電源供給端子２２と接続されていてもよい。このようにすると、変更例１に係る圧電素子２ｂの短辺Ｓｂ´は、上述の実施形態に係る圧電素子２ｂの短辺Ｓｂと比較して、短くなる。
【００４６】
すなわち、変更例１においては、圧電素子２ｂは、圧電素子２ａ,２ｃ,２ｄと比較して、短辺Ｓｂ´の短い圧電素子を用いることが可能となる。このため、圧電素子２ｂが設けられた外側領域ＥＯの幅Ｌｅ´をより小さくすることができる。そのため、変更例１に係る触覚伝達装置Ｘは、上述の実施形態に係る触覚伝達装置Ｘと比較して、より小型化を実現することができる。
【００４７】
また、変更例１に係る触覚伝達装置Ｘは、上述の実施形態に係る触覚伝達装置Ｘと比較して、接続配線４の長さを短くすることができる。そのため、変更例１に係る触覚伝達装置Ｘは、上述の実施形態に係る触覚伝達装置Ｘと比較して、接続配線４にかかるコストを低減することができる。
【００４８】
なお、図８に示すように、平面視において、圧電素子２ｂには、第１電源供給端子２１と第２電源供給端子２２との間に、絶縁膜５が設けられていることが好ましい。このようにすると、第１電源供給端子２１および第２電源供給端子２２を形成する際、熱によって溶融した電源供給端子２１,２２となる導電ペーストが絶縁膜５によって互いに接触することを防止できる。すなわち、絶縁膜５がダムとして機能するからである。なお、絶縁膜５は、圧電素子２ａ,２ｃ,２ｄに設けられていてもよい。
【００４９】
また、上記では、圧電素子２ｂは、圧電素子２ａ,２ｃ,２ｄと比較して、短辺Ｓｂ´の短い圧電素子を用いる例について説明したが、これに限定されない。すなわち、圧電素子２ｂは、圧電素子２ａ，２ｃ，２ｄと同じ圧電素子を用いてもよい。この場合、外側領域ＥＯの幅Ｌｅは、上述の実施形態と同じになるが、接続配線４の長さは短くすることができる。さらに、圧電素子２ａ，２ｃ，２ｄは、圧電素子２ｂと同じ圧電素子を用いてもよい。この場合、圧電素子２ａ，２ｃ，２ｄを傾けることによって、接続配線４と電源供給端子２１，２２とを接続することができる。
【００５０】
[変更例３]
なお、上記では、触覚伝達装置Ｘが設けられる表示パネルが液晶表示パネルである例について説明したが、これに限定されない。すなわち、触覚伝達装置Ｘが設けられる表示パネルは、ＣＲＴ、プラズマディスプレイ、有機ＥＬディスプレイ、無機ＥＬディスプレイ、ＬＥＤディスプレイ、蛍光表示管、電界放出ディスプレイ、表面電界ディスプレイ、電子ペーパ等であってもよい。
【符号の説明】
【００５１】
Ｘ  触覚伝達装置
Ｙ  表示装置
１  タッチパネル（入力部）
２ａ〜２ｄ  圧電素子（振動体）
２１  第１電源供給端子（電源供給端子）
２２  第２電源供給端子（電源供給端子）
Ｓａ  圧電素子の長辺
Ｓｂ  圧電素子の短辺
３  圧電素子側導通端子（外部導通端子）
４  接続配線
４１  第１接続配線
４２  第２接続配線
５０  液晶表示パネル（表示パネル）
【図１】
2011113419.tif 000003
【図２】
2011113419.tif 000004
【図３】
2011113419.tif 000005
【図４】
2011113419.tif 000006
【図５】
2011113419.tif 000007
【図６】
2011113419.tif 000008
【図７】
2011113419.tif 000009
【図８】
2011113419.tif 000010